(57)【特許請求の範囲】
【請求項１】
基材シート、該基材シートの片面に感圧粘着剤をコーティングして形成された粘着剤層および該粘着剤層表面の中央部に貼着されたパッドからなる絆創膏であって、ここに該基材シートの幅方向最大長さＷと長さ方向最大長さＬの比Ｌ／Ｗが、３〜４であり、パッドの最大幅ａが、パッドが貼着される該粘着剤表面ｂの平均幅の０．４７〜０．５５倍であり、パッドの長さ方向の両端から長さ方向に対して直角に引いた２本の直線が囲う粘着剤層面からなるパッド幅領域内に、該パッドに向かうノッチを有し、絆創膏周辺部からパッドに向かって延びるノッチ全体が、前記パッド幅領域内に配置されており、
ノッチがパッド幅領域のそれぞれに２または３個ずつ存在することを特徴とする絆創膏。
【請求項２】
ノッチが絆創膏の長さ方向と直角に設けられている請求項１の絆創膏。
【請求項３】
絆創膏の長さ方向両端部がテーパ状である請求項１または２に記載の絆創膏。
【請求項４】
ノッチが２つのパッド幅領域のそれぞれに存在する請求項１から３までのいずれか１項に記載の絆創膏。
【請求項５】
ノッチが、ノッチ部のパッド幅領域の、パッドから絆創膏周辺部までの長さの０．８〜０．９倍の長さを有する請求項１から４までのいずれか１項に記載の絆創膏。
【請求項６】
ノッチ形状が全て等しい請求項１から５までのいずれか１項に記載の絆創膏。
【発明の詳細な説明】
【０００１】
【発明が属する技術分野】
本発明は、救急絆創膏に関し、特にその基材シートの片面に感圧粘着剤を塗布し、その中央部にパッド部材を貼着してなる、膝、肘、肩、手首、足首などの手足の関節部分、および指の関節部分などの切り傷、擦り傷等、細長い創傷面に貼付するのに適した救急絆創膏に関し、さらに該パッド側面の基材シートおよび粘着剤層にノッチを有する、関節等の動きに対しても剥がれにくく、外部からの水等の浸入しにくい救急絆創膏に関する。
【０００２】
【従来の技術および発明が解決しようとする課題】
救急絆創膏は、職場や家庭において予期しない創傷の緊急の処置の一手段として広く普及している。そして創傷の大きさ、形状、創傷部位等、種々の要求に対応できるように、救急絆創膏も種々の大きさ、形状のものが製造され、実際に使用されている。これら実用に供されている多くの救急絆創膏は、平面な基材シートの一方の面全面に粘着剤を塗布し、その中央部にパッド部材を貼着し、そしてこの粘着剤およびパッド部材からなる面に、剥離自在の剥離シートを貼付し、それを包装体に封入して販売されている。かかる包装した絆創膏は、衛生的であり、その需要の多いことから大量生産され、比較的安価に供給され、広く使用されている。
【０００３】
しかしこのような平面な基材シートを使用した救急絆創膏を膝、肘、肩、手首、足首などの手足の関節部分、および指の関節部分など日常生活中に動きの激しい部分に貼付した場合には、関節の動きに対応しきれず、剥がれたり、一部が浮き上がって外部からの水などの浸入を許すという問題があった。この対策として、粘着剤層および基材シートに切れ目を入れることが提案されている。例えば実用新案公開昭５７−３５３３３はその長さ方向に長い切れ目を設けた絆創膏やパッドの両側に切れ目を設けた絆創膏を開示している。同様に特開平９−３０８６４７はその長さ方向に切り込みを設けた絆創膏を開示している。しかし長さ方向に切れ目を入れた場合には、絆創膏を皮膚創傷部に貼付するとき、切れ目で隣接する長い粘着剤層が意図せずにくっついてしまったり意図しない皮膚に接着してしまったり、取扱が困難となる。この１つの対策として、実用新案公開平２−１３５２６は切れ目が粘着シートの外周端に至らない絆創膏を開示し、また実用新案公開昭６２−５４７３３はその長さ方向にミシン目を入れた絆創膏を開示している。しかしこれらの先行技術においては切れ目を切り離したり、ミシン目を破ったりする手間がかかるという新たな問題が発生していた。
【０００４】
【課題を解決するための手段】
基材シート、該基材シートの片面に感圧粘着剤をコーティングして形成された粘着剤層および該粘着剤コーティング層表面の中央部に貼着されたパッドからなる絆創膏であって、ここに該基材シートの幅方向最大長さＷと長さ方向最大長さＬの比Ｌ／Ｗが、２．５〜５であり、パッドの最大幅ａが、パッドが貼着される該粘着剤表面ｂの平均幅の０．２〜０．６倍であり、パッドの長さ方向の両端から長さ方向に対して直角に引いた２本の直線が囲う粘着剤層面からなるパッド幅領域内に、該パッドに向かうノッチを有する絆創膏に関する。また本発明は、該ノッチが絆創膏の長さ方向と直角に設けられている上記絆創膏に関し、さらにノッチが０〜３０゜の角度、好ましくは２〜２０゜の角度を有する上記絆創膏に関し、さらに絆創膏の両端部がテーパ状である上記絆創膏に関し、またノッチが２つのパッド幅領域のそれぞれに存在する上記絆創膏に関し、ノッチがノッチのある部分のパッド幅領域の、パッド端部から絆創膏周辺までの長さの０．５〜０．９倍の長さを有する上記絆創膏に関し、さらに、ノッチ形状が全て等しい上記絆創膏に関する。
【０００５】
本発明の絆創膏は主に、基材シート、粘着剤層、パッドおよび剥離シートからなっている。本発明の絆創膏はさらに包装材で１個ずつ包装して個別包装体とすることができる。
本発明における救急絆創膏の基材シートは、適度の柔軟性と強度を有するものであれば特に限定されない。かかる基材シートの素材の例としては、綿、スフ、麻、化学繊維などからなる織布、軟質ポリ塩化ビニル、ポリエチレン、ポリウレタンなどのプラスチックフィルム、レーヨン、ポリエステル、ナイロンなどの不織布、和紙などを挙げることができ、好ましくは一般に創傷の包帯の裏打ち材層に使用されている柔軟な薄層フィルムなどである。特に好ましい基材シートに使用しうるフィルムは、透湿性の弾性フィルムであり、例えばポリエーテルポリウレタン、ポリエステルポリウレタン、親水性ポリウレタン、軟質ポリエチレン、ポリプロピレン、ポリエステル、ポリエステルポリエーテル等の薄層フィルムを挙げることができる。またこれらの多層フィルムシートを使用することができる。
【０００６】
本発明における粘着剤は、直接皮膚に貼付するものであるから、皮膚刺激性の少ないものでなければならない。一般には、天然ゴムなどのゴム系、アクリル系、ポリイソブチレン系、シリコーン系など、通常、絆創膏に使用されている感圧粘着剤を使用することができる。
本発明における剥離シートは、前記粘着剤が適度に接着することができ、かつ使用時には容易に剥離することができるものでなければならない。かかる剥離シートとしては、ポリエチレン、ポリプロピレン、ポリ塩化ビニルなどのプラスチックフィルム、シリコン樹脂、フッ素樹脂などの剥離性材料でコーティングした紙のシートなどを挙げることができる。特にシリコン樹脂、フッ素樹脂などの剥離性材料をコーティングした紙のシートは、良好な剥離性、取扱いの容易性の面から好ましい。
【０００７】
包装シートで個別に包装する場合には、紙、プラスチックあるいはこれらの複合素材等を使用することができる。
本発明の該基材シートの幅方向最大長さＷと長さ方向最大長さＬの比Ｌ／Ｗは、２．５〜５である。この比が２．５未満では、細長い創傷に対し、幅方向に無用に長くなりがちとなり、パッドの創傷への密着性が却って損なわれがちとなり好ましくない。また５以上では、パッドの幅が狭くなりすぎ、創傷への貼着時にわずかなずれで創傷面上を粘着剤層が覆ったりし、好ましくない。基材シートの形状は、長方形とすることができるが、それに限定されず、四隅を丸めた形状、絆創膏の一端または両端にテーパをつけた形状、楕円形状、その他任意の形状を採用することができる。
【０００８】
本発明におけるパッドは、創傷部を被覆し、創傷部から浸出する体液、血液等を吸収するためのもので、パッド用素材としては、ガーゼその他の吸水性を有する素材を挙げることができる。またポリアクリル酸などの高吸水性ポリマーを含有させてもよい。
パッドの形状は、基材の形状、創傷の形状等に応じて変形させることが好ましいが、通常は、長方形、四隅を丸めた長方形、一端または両端にテーパをつけた形状、楕円形などの形状を適宜採用することができる。パッドの幅は、パッドが貼着される該粘着剤表面ｂの平均幅の０．２〜０．６倍である。０．２倍未満では、パッドが細くなりすぎ、創傷への貼着時にわずかなずれで創傷面上を粘着剤層が覆ったりするため好ましくない。また０．６倍を越えると、パッドの両側の粘着剤層の幅が不十分となり、関節を大きく屈曲したり、屈曲を繰り返したとき、絆創膏が剥がれる場合が生じる。またパッドの両側のノッチを入れる粘着剤層面が狭くなりすぎ、ノッチを入れた効果が十分発揮されない。
【０００９】
本発明の絆創膏は、パッドの両側に位置するパッド幅領域の一方または両方に該パッドに向かうノッチを有することを特徴とする。ここにノッチとは、Ｖ字形あるいはＵ字形の切り込み、丸底Ｖ字形、平底Ｖ字形、細い長方形の切り込みなどをいい、単に切れ目を入れただけのものでもよい。特にＶ字形のものが、創傷部の密閉性が優れる点で好ましい。Ｖ字形とした場合のノッチの角度は、０〜３０゜とすることが好ましく、さらに好ましくは２〜２０゜である。３０゜を越えると創傷部の密閉性が悪くなる場合が生じる。一方２゜未満では、創傷部位によっては、ノッチで隣接する粘着剤層面同士の重なりが大きくなる結果その部分だけが剛直となり、基材シートの柔軟性を損なう場合がある。
【００１０】
全てのノッチはパッド幅領域内の絆創膏端部から、パッド方向に向かって設けられ、かつパッド幅領域内に存在する。ここにパッド幅領域とは、図１の剥離紙を除去した状態の正面図の領域Ｒで示した、パッドの長さ方向両端から長さ方向に直角に引いた２本の直線が囲う粘着剤層面の領域をいう。ノッチは一方のパッド幅領域のみに設けても良いが、両方のパッド幅領域に設けた方が、関節部の大きな運動に対応するのに有効である。ノッチの数は、１領域当たり１個から４個である。４個を越えるノッチを設けても効果の向上はなく、却って貼着時に粘着剤層同士が粘着したり、創傷部位によっては操作が困難となる場合があり使用前に絆創膏を廃棄しざるをえなくなったりして好ましくない。ノッチの数は好ましくは１領域当たり２個である。ノッチの大きさはそれぞれ異なっても良いが、使用感などの点で全て等しくすることが好ましい。またノッチは絆創膏の長さ方向と概ね直角に設けることが好ましい。ノッチを傾けると、貼着時の操作を困難にする場合がある。
ノッチはパッドの両側のパッド幅領域の粘着剤コート面の幅、即ち図１の剥離紙を除去した状態の正面図中、Ｒで示した領域の縦方向長さ、の０．５から０．９倍の長さを有するのが好ましい。０．５倍未満ではノッチを設けた効果を十分に発揮することができない。また０．９倍を越えるとノッチ先端部の粘着剤層が剥がれやすくなり、パッドの密閉が保持されず、外の水などの浸入を招く場合があり好ましくない。
【００１１】
【発明の実施の形態】
図１は、本発明の第一の実施例に係る絆創膏を説明するための正面図、左右側面図、平面図、背面図、底面図等である。基材シートはポリウレタンを使用し、粘着剤層の粘着剤はアクリル系のものを使用し、そしてパッドはガーゼを使用している。
本実施例の絆創膏は、長さ約６ｃｍ、幅約２ｃｍの四隅を丸めた長方形である。パッドの長さは約２．２ｃｍ、幅１．１ｃｍの長方形である。ノッチはほぼＶ字形で、絆創膏の長さ方向とほぼ直角に形成され、パッド幅領域の粘着剤コート面の幅の約０．９倍の長さである。この絆創膏は、手足の指の関節などの傷や、その他の大きな関節の小さな傷に好適であり、これを１．５〜２倍と大型にすれば大きな傷にも対応することができる。
【００１２】
図２は、本発明の第二の実施例に係る絆創膏を説明するための正面図、左右側面図、平面図、背面図、底面図等である。本実施例の絆創膏は、２つのノッチの外側の、長軸約６ｃｍ、短軸約１．５ｃｍの楕円形部分と、ノッチの内側の半径約２ｃｍの扇形部分とから構成されている。パッドの長さは約２．２ｃｍ、幅０．７ｃｍの長方形である。ノッチはほぼＶ字形で、絆創膏の長さ方向から約４５゜の角度に形成され、ノッチ部の粘着剤コート面の幅の約０．８倍の長さである。この絆創膏は、特に手足の指の外側の関節など、大きく伸縮する部位の細長い傷に好適であり、これを１．５〜２倍と大型にすれば大きな傷にも対応することができる。
【００１３】
図３は、本発明の第三の実施例に係る絆創膏を説明するための正面図、左右側面図、平面図、背面図、Ａ−Ａ線断面図等である。
本実施例の絆創膏は、長軸約６ｃｍ、短軸約１．５ｃｍの楕円形から構成されている。パッドの長さは約２．３ｃｍ、幅０．７ｃｍの長方形である。ノッチはほぼＶ字形で、絆創膏の長さ方向とほぼ直角に形成され、ノッチ部の粘着剤コート面の幅の約０．８倍の長さである。この絆創膏は、手足の指の関節などの傷や、その他の大きな関節の小さな傷に好適であり、これを１．５〜２倍と大型にすれば大きな傷にも対応することができる。
【００１４】
図４は、本発明の第四の実施例に係る絆創膏を説明するための正面図、左右側面図、平面図、背面図、底面図等である。素材は実施例１と同様のものを使用した。本実施例の絆創膏は、図４に示すように、長さ約６ｃｍ、幅約２ｃｍの長方形の長さ方向両側に細い円弧を付加した形状をしている。パッドの長さは約２．２ｃｍ、幅１．１ｃｍの長方形である。ノッチは細いＵ字形で、パッドの両側に各２個ずつ、絆創膏の長さ方向とほぼ直角に形成され、パッド幅領域の粘着剤コート面の幅の約０．９倍の長さである。
【００１５】
図５は、本発明の第五の実施例に係る絆創膏を説明するための正面図、左右側面図、平面図、背面図、底面図等である。素材は実施例１と同様のものを使用した。本実施例の絆創膏は、図５に示すように、長さ約６ｃｍ、幅約２ｃｍの長方形の長さ方向両側に細い円弧を付加した形状をしている。パッドの長さは約２．２ｃｍ、幅１．１ｃｍの長方形である。ノッチは細いＵ字形で、パッドの両側に各３個ずつ、絆創膏の長さ方向とほぼ直角に形成され、パッド幅領域の粘着剤コート面の幅の約０．９倍の長さである。
【００１６】
図６は、本発明の第六の実施例に係る絆創膏を説明するための正面図、左右側面図、平面図、背面図、底面図等である。素材は実施例１と同様のものを使用した。本実施例の絆創膏は、図６に示すように、ノッチが直線状の切り込みとなっていることを除いて、図４と同様の形状をしている。
【００１７】
図７は、本発明の第七の実施例に係る絆創膏を説明するための正面図、左右側面図、平面図、背面図、底面図等である。素材は実施例１と同様のものを使用した。本実施例の絆創膏は、図７に示すように、ノッチが直線状の切り込みとなっていることを除いて、図５と同様の形状をしている。
【００１８】
【発明の効果】
本発明の絆創膏は、関節等の大きな急激な動きに対しても容易に対応することができ、剥がれにくく、かつ外部からの水等の浸入を防止する。
【図面の簡単な説明】
【図１】  本発明の絆創膏の第一の実施例を説明する。
【図２】  本発明の絆創膏の第二の実施例を説明する。
【図３】  本発明の絆創膏の第三の実施例を説明する。
【図４】  本発明の絆創膏の第四の実施例を説明する。
【図５】  本発明の絆創膏の第五の実施例を説明する。
【図６】  本発明の絆創膏の第六の実施例を説明する。
【図７】  本発明の絆創膏の第七の実施例を説明する。
【符号の説明】
１・・・基材シート、２・・・粘着剤層、３・・・パッド、４・・・ノッチ、５・・・剥離シート
【図１】
0004509268.tif 000002
【図２】
0004509268.tif 000003
【図３】
0004509268.tif 000004
【図４】
0004509268.tif 000005
【図５】
0004509268.tif 000006
【図６】
0004509268.tif 000007
【図７】
0004509268.tif 000008